(57)【要約】【課題】ジャンパー線の圧縮接続作業における労力の削減、ジャンパー線接続部の湾曲防止及び品質向上を図る。【解決手段】各ジャンパー線Ｗの端部同士を連結する圧縮接続器１０と、各ジャンパー線に夫々着脱自在に固定されるクランプ２１、３１と、各クランプに一部を固定されて各ジャンパー線と交差する方向へ延びるジャンパー線保持アーム２８、３８と、各ジャンパー線保持アームの他の部位間を連結固定する連設片４０と、を備えたジャンパー線保持部材２０と、圧縮接続器に着脱自在に固定される第一の着脱部５１と、第一の着脱部に一部を固定されたベースアーム５５と、ベースアームの他の部位に設けられて連設片の中間部に着脱自在に取り付けられる第二の着脱部５６と、を備えたベースユニット５０と、を備え、ジャンパー線接続を行う際に各ジャンパー線保持アームが各ジャンパー線の端部を圧縮スリーブ内部に押圧する方向へ付勢する。【選択図】図１
2011086542.tif 000002
【特許請求の範囲】
【請求項１】
圧縮スリーブの両端開口内に夫々ジャンパー線の端部を挿入した状態で該圧縮スリーブを加圧して圧縮させることにより、前記各ジャンパー線の端部同士を連結する圧縮接続器と、
前記各ジャンパー線の端部を回避した部位に夫々着脱自在に固定されるクランプと、前記各クランプに一部を固定されて前記各ジャンパー線と交差する方向へ延びる弾性変形可能なジャンパー線保持アームと、前記各ジャンパー線保持アームの他の部位間を連結固定する連設片と、を備えたジャンパー線保持部材と、
前記圧縮接続器に着脱自在に固定される第一の着脱部と、該第一の着脱部に一部を固定されたベースアームと、該ベースアームの他の部位に設けられて前記連設片の中間部に対して着脱自在に取り付けられる第二の着脱部と、を備えたベースユニットと、
を備え、
前記圧縮接続器に前記第一の着脱部を固定した前記ベースユニットの前記第二の着脱部を前記連設片に取り付けた状態において、前記圧縮接続器によるジャンパー線接続動作を行う際に、前記各ジャンパー線保持アームが前記各ジャンパー線の端部を前記圧縮スリーブ内部に押圧する方向へ付勢するように構成したことを特徴とするジャンパー線接続装置。
【請求項２】
前記ジャンパー線保持アームの軸方向と、前記圧縮接続器が発生させる圧縮力の方向とが異なることを特徴とする請求項１記載のジャンパー線接続装置。
【請求項３】
前記連設片が前記第二の着脱部に対して回転自在に構成されていることを特徴とする請求項２記載のジャンパー線接続装置。
【請求項４】
前記ジャンパー線保持アームが、フラットバーであることを特徴とする請求項１乃至３の何れか一項記載のジャンパー線接続装置。
【発明の詳細な説明】
【技術分野】
【０００１】
本発明は送電用鉄塔上において圧縮接続器を用いて実施されるジャンパー線接続作業を効率化して労力の削減を図るとともに、ジャンパー線接続部の湾曲を防止して品質の向上を図ることができるジャンパー線接続装置に関するものである。
【背景技術】
【０００２】
送電用鉄塔から横方向へ突設された腕金に送電線を支持する際には、鉄塔との間の絶縁を確保するために、二本の送電線端部を腕金に固定した絶縁碍子によって夫々支持した状態でジャンパー線によって接続している。
即ち、二本の送電線を鉄塔上において接続する際には、まず図７（ａ）に示すように腕金１００に一端を固定した２つの絶縁碍子１０１、１０２の他端部に夫々送電線１２０と送電線１２１の端部を固定する。次いで、各送電線１２０、１２１の端部と接続したジャンパー線１２２、１２３の端部間をスリーブ１２４を用いて圧着接続することにより接続を完了する。ジャンパー線の端部間をスリーブを用いて圧着する手段として、（ｂ）に示した如き圧縮接続器（電線圧縮接続器）１１０が用いられる。圧着ヘッドは油圧により作動する加圧手段を備え、側面に設けた挿通穴１１１内に配置したスリーブ内に二本のジャンパー線の端部を差し込んだ状態で加圧手段を作動させることによってスリーブを圧着してジャンパー線端部間を電気的機械的に接続する。
特許文献１には、圧縮スリーブを湾曲させることなく圧縮処理を行う圧縮ヘッドの支持器について記載されているが、この文献では、圧縮ヘッドの支持器を地面上に載置すると共に二人の作業員により圧縮接続作業を行うことが前提となっており、鉄塔上での作業については記載されていない。
【先行技術文献】
【特許文献】
【０００３】
【特許文献１】特開２００８−２３４８９１公報
【発明の概要】
【発明が解決しようとする課題】
【０００４】
鉄塔上での圧縮接続作業は、鉄塔の腕金先端部から吊り下げられた仮設足場に立った二人の作業員の共同作業により実施される。一方の作業員がスリーブ内に挿入された二本のジャンパー線の夫々をスリーブ内に押圧する方向へ付勢しつつ支持し、他方の作業員が腕金１００からロープ１１５によって吊り下げられた圧縮接続器を操作してジャンパー線端部間を電気的機械的に接続する。
このとき、作業員は仮設足場上で非常に不安定な体勢を強いられる上、スリーブが湾曲せずに接続されているか否かの確認を専ら目視で行っていたため、作業員の熟練度によって接続の仕上がりが大きく異なるといった問題があった。また、圧縮接続器１１０は１０〜１５ｋｇ程度の重量物であり、圧縮接続器を手で保持したままでの接続作業中に少しでも手元が狂うとスリーブが曲がる、接続不良等の不具合が発生する虞があった。
本発明は上述の事情に鑑みてなされたものであり、ジャンパー線の圧縮接続作業における労力の削減及びジャンパー線接続部の湾曲を防止して品質を向上できるジャンパー線の圧縮接続器を提供することを目的とする。
【課題を解決するための手段】
【０００５】
上記の課題を解決するために、請求項１に記載の発明は、圧縮スリーブの両端開口内に夫々ジャンパー線の端部を挿入した状態で該圧縮スリーブを加圧して圧縮させることにより、前記各ジャンパー線の端部同士を連結する圧縮接続器と、前記各ジャンパー線の端部を回避した部位に夫々着脱自在に固定されるクランプと、前記各クランプに一部を固定されて前記各ジャンパー線と交差する方向へ延びる弾性変形可能なジャンパー線保持アームと、前記各ジャンパー線保持アームの他の部位間を連結固定する連設片と、を備えたジャンパー線保持部材と、前記圧縮接続器に着脱自在に固定される第一の着脱部と、該第一の着脱部に一部を固定されたベースアームと、該ベースアームの他の部位に設けられて前記連設片の中間部に対して着脱自在に取り付けられる第二の着脱部と、を備えたベースユニットと、を備え、前記圧縮接続器に前記第一の着脱部を固定した前記ベースユニットの前記第二の着脱部を前記連設片に取り付けた状態において、前記圧縮接続器によるジャンパー線接続動作を行う際に、前記各ジャンパー線保持アームが前記各ジャンパー線の端部を前記圧縮スリーブ内部に押圧する方向へ付勢するように構成したジャンパー線接続装置を特徴とする。
請求項１の発明では、各ジャンパー線保持アームが各ジャンパー線の端部を前記圧縮スリーブ内部に押圧する方向へ付勢した状態で圧縮接続作業が行われる。
【０００６】
請求項２に記載の発明は、前記ジャンパー線保持アームの軸方向と、前記圧縮接続器が発生させる圧縮力の方向とが、異なる請求項１記載のジャンパー線接続装置を特徴とする。
請求項２の発明では、圧縮接続によるジャンパー線の中心軸の移動が、ジャンパー線保持アームに回転方向に変換されて伝達される。
請求項３に記載の発明は、前記連設片が前記第二の着脱部に対して回転自在に構成されている請求項２記載のジャンパー線接続装置を特徴とする。
請求項３の発明では、ジャンパー線保持アームが連設片を中心として自在に回転する。
請求項４に記載の発明は、前記ジャンパー線保持アームが、フラットバーである請求項１乃至３の何れか一項記載のジャンパー線接続装置を特徴とする。
請求項４の発明では、各ジャンパー線の端部を圧縮スリーブ内部に押圧する方向へ働く付勢力が、フラットバーの撓りにより与えられる。
【発明の効果】
【０００７】
本発明によれば、前記圧縮接続器によるジャンパー線接続動作を行う際に、ジャンパー線保持アームが各ジャンパー線の端部を圧縮スリーブ内部に押圧する方向へ付勢するように構成したので、スリーブ内に挿入された二本のジャンパー線の夫々をスリーブ内に押圧する方向へ付勢しつつ支持する作業員が不要となり作業人員の削減を図ることができるとともに、作業中は一定の付勢力を与えることができるので、電線接続部の品質を向上できる。
【図面の簡単な説明】
【０００８】
【図１】ジャンパー線接続装置の使用状態を示した図であり、（ａ）は平面図であり、（ｂ）は正面図である。
【図２】クランプ及び第二の着脱部の正面図である。
【図３】（ａ）乃至（ｃ）は、ジャンパー線に固定されたジャンパー線保持部材の平面図である。
【図４】（ａ）乃至（ｃ）は、ジャンパー線接続装置の使用方法について説明するための平面図である。
【図５】圧縮ダイスと圧縮スリーブとの関係を示す模式図であり、（ａ）は圧縮前を示す図であり、（ｂ）は圧縮後を示す図である。
【図６】ジャンパー線接続装置の模式的正面図である。
【図７】（ａ）及び（ｂ）は従来例の説明図である。
【発明を実施するための形態】
【０００９】
以下、本発明の実施形態について図１に基づいて説明する。図１は、ジャンパー線接続装置の使用状態を示した図であり、（ａ）は平面図であり、（ｂ）は正面図である。本実施形態に係るジャンパー線接続装置は、圧縮スリーブ内に挿入された各ジャンパー線を保持する各ジャンパー線保持アームが、各ジャンパー線の端部を圧縮スリーブ内部に押圧する方向へ付勢するように構成した点に特徴がある。
本実施形態に係るジャンパー線接続装置１は、圧縮スリーブＳの各端部開口Ｓａ、Ｓｂから挿入された各ジャンパー線Ｗ１、Ｗ２を圧縮接続する圧縮接続器１０と、各ジャンパー線Ｗ１、Ｗ２の端部を圧縮スリーブＳ内部に押圧する方向へ付勢しつつ各ジャンパー線Ｗ１、Ｗ２の端部を保持するジャンパー線保持部材２０と、圧縮接続器１０及びジャンパー線保持部材２０に着脱自在に装着されるベースユニット５０と、から構成される。各部材について以下、詳述する。
【００１０】
圧縮接続器１０は、圧縮スリーブＳの各端部開口Ｓａ、Ｓｂ内に夫々ジャンパー線Ｗ１、ジャンパー線Ｗ２の端部を挿入した状態で圧縮スリーブＳを加圧して圧縮させることにより、各ジャンパー線Ｗ１、Ｗ２の端部同士を連結する装置である。圧縮スリーブＳの側面を２つの方向から押圧する一対の圧縮ダイス１１（固定ダイス１２、可動ダイス１３）を備え、油圧により高い圧縮力を発生させて圧縮スリーブＳを圧縮する。
圧縮スリーブＳは、中空円筒状のジャンパー線接続用のスリーブである。圧縮スリーブＳの各端部端開口Ｓａ、Ｓｂから２本のジャンパー線Ｗ１、Ｗ２を夫々挿入し、圧縮スリーブＳ内部で各ジャンパー線Ｗ１、Ｗ２の端部を突き当てた状態で圧縮変形させることにより、２本のジャンパー線Ｗ１、Ｗ２を電気的、機械的に接続する。
ジャンパー線保持部材２０は、圧縮スリーブＳの各端部開口Ｓａ、Ｓｂから延出するジャンパー線Ｗ１、Ｗ２の側面、即ちジャンパー線Ｗ１、Ｗ２の端部を回避した部位に夫々着脱自在に固定される一対のクランプ２１、３１と、夫々のクランプ２１、３１に一部を固定されてジャンパー線Ｗ１、Ｗ２と交差する方向へ延びる弾性変形可能な一対のジャンパー線保持アーム２８、３８と、各ジャンパー線保持アーム２８、３８の他端部２８ｂ、３８ｂ間を連結固定する連設片４０と、を備えている。
【００１１】
クランプについて図２に基づいて説明する。図２は、クランプ及び後述する第二の着脱部の正面図である。以下クランプ２１について説明するが、クランプ３１も同様である。クランプ２１は、周方向に２分割された分割片２２、２３がヒンジ２４によって接続されたクランプであり、ジャンパー線Ｗに対して着脱自在に構成されている。各分割片２２、２３は、径方向断面が略Ｃ字状であり、周方向の一方の端部にはヒンジ２４を有し、他方の端部には外側に向けて折り曲げられた屈曲片２５、２６を有している。夫々の屈曲片２５、２６は蝶ネジ２７にて連結される。ジャンパー線Ｗをクランプ２１で挟んだ状態で、蝶ネジ２７を締め付けることにより、ジャンパー線Ｗを固定することができる。また、クランプ２１は２分割式であるので、外径の異なるジャンパー線にも適用でき、これらのジャンパー線Ｗに容易に装着、固定できる。なお、図示のクランプは一例であり、ジャンパー線Ｗを固定可能かつ着脱自在であれば、図に示すクランプに限定されない。
【００１２】
ジャンパー線保持アーム２８、３８は、一端部２８ａ、３８ａに夫々クランプ２１、３１が固定された弾性変形可能な部材からなる。また、ジャンパー線保持部材２０は、圧縮スリーブＳに対して交差する方向へ延びるように、略平行に配置された２つのジャンパー線保持アーム２８、３８を有する。各ジャンパー線保持アーム２８、３８の他端部２８ｂ、３８ｂには、連設片４０が固定され、各ジャンパー線保持アーム２８、３８が連設されている。
連設片４０は、圧縮スリーブＳよりも軸方向長が長い円筒状又は円柱棒状の部材であり、ジャンパー線保持部材２０をジャンパー線Ｗに固定したときに、圧縮スリーブＳに対して略平行に配置される。すなわち、２本のジャンパー線保持アーム２８、３８は、同一の長さを有しており、ジャンパー線接続装置１の使用時に、圧縮スリーブＳとジャンパー線Ｗ１、Ｗ２に対して連設片４０を平行に保持する。連設片４０には、軸方向の一端部から他端部にかけて目盛り４１が付けられており、後述する第二の着脱部５６の移動量が一目で確認できるようになっている。
【００１３】
ジャンパー線保持アーム２８、３８は、ジャンパー線Ｗと連設片４０との距離を一定に保持し、ジャンパー線保持アーム２８、３８軸方向におけるジャンパー線Ｗの湾曲を防止する。さらに、夫々のクランプ２１、３１側を互いに近接する方向へ押圧する付勢力を発生させることができる。すなわち、クランプ２１、３１が夫々２本のジャンパー線Ｗ１、Ｗ２に固定されたとき、各ジャンパー線保持アーム２８、３８は、各ジャンパー線Ｗ１、Ｗ２の端部を圧縮スリーブＳ内部に押圧する方向へ付勢するように構成されている。ジャンパー線保持アーム２８、３８は、例えば、フラットバー（平鋼）とすることができる。ジャンパー線Ｗに固定するときには、作業員がクランプ２１とクランプ３１とを互いに離間させる方向に付勢しつつ、クランプ２１、３１をジャンパー線Ｗに固定する。すると、フラットバーの撓りにより、各ジャンパー線Ｗの端部が互いに圧縮スリーブ内部で押圧するように付勢力を与えることができる。このように付勢力を与えることで、従来、圧縮接続作業時に２本のジャンパー線を把持するために必要だった作業員の一人が不要となり、作業人員の削減を図ることができる。
ジャンパー線Ｗに付勢力を与えるための方法としては、他にも種々の方法がある。図３は、ジャンパー線に固定されたジャンパー線保持部材の平面図である。例えば（ａ）に示すように、夫々のジャンパー線保持アーム２８、３８の中間部をゴムチューブ７１で接続したり、（ｂ）に示すように、夫々のジャンパー線保持アーム２８、３８の中間部をコイルバネ７２で接続したり、或いは（ｃ）に示すように、ジャンパー線保持アーム２８、３８と連設片４０の固定部分近傍同士を接続すると共に、各接続部分を互いに近接する方向へ付勢する弾性部材、具体的には例えばコイルバネ７３やゴムチューブ等で接続して、ジャンパー線Ｗ１、Ｗ２の各端部同士を押圧する付勢力を得ることができる。
【００１４】
ベースユニット５０は、圧縮接続器１０を固定保持するとともに、ジャンパー線保持部材２０及びジャンパー線Ｗに対して圧縮接続器１０を平行に移動させるように、連設片４０に取り付けられている。ベースユニット５０は、圧縮接続器１０に着脱自在に固定される第一の着脱部５１と、第一の着脱部５１に一部を固定されたベースアーム５５と、ベースアーム５５の他の部位に設けられて連設片４０の中間部に対して着脱自在に取り付けられる第二の着脱部５６と、を備えている。
第一の着脱部５１は、圧縮接続器１０の胴部１４に沿った形状を有する。本実施形態における圧縮接続器１０の胴部１４は略円柱状であり、第一の着脱部５１は、周方向に２分割された略Ｃ字状の一対の金属バンド５２を備える。夫々の金属バンド５２の周方向両端部を外側に向けて折り曲げた折り曲げ部５３を２つの蝶ネジ５４にて接続した構成である。各金属バンド５２の内周面には、ゴム等の高い摩擦力を発生させる部材が接着固定され、圧縮接続器１０を強固に固定する。
【００１５】
ベースアーム５５は、第一の着脱部５１に一端部５５ａを固定され、圧縮接続器１０が発生させる圧縮力Ｆの方向に対して所定角度θだけ傾斜しつつ、ジャンパー線Ｗと交差する方向へ延在する。ベースアーム５５は剛性を有し、撓むことなく圧縮接続器１０と第二の着脱部５６との位置関係を一定に保持する。図１に示すジャンパー線接続装置１では、２本のベースアーム５５を有しているが、第二の着脱部５６を支持可能であれば、その数は特に限定されない。
ベースアーム５５の他端部５５ｂ（他の部位）には、連設片４０に装着される第二の着脱部５６が固定されている。第二の着脱部５６は、クランプ２１に類似した構造を有している。図２に示すように、第二の着脱部５６は、軸方向に貫通した円筒状であり、半円筒状に分割された２つの分割片５７、５８がヒンジ５９を介して開閉自在に連接されており、第二の着脱部５６の内径は、連設片４０の外径と略同一か、連設片４０の外径よりも若干大きく構成し、連設片４０に対して第二の着脱部５６がスライド自在かつ回転自在になるように構成する。
分割片５７、５８の周方向外側端縁のうち、ヒンジ５９の配置されていない方の端縁には、周方向両端部側を外側に向けて折り曲げた屈曲片６０、６１が形成されており、２つの屈曲片６０、６１は蝶ネジ６２にて連結される。なお、第二の着脱部５６を開閉自在に構成できる他の部材を使用できる。例えば一方の分割片に取り付けた留め具と、他方の分割片に取り付けた係止部とにより、開閉自在となるように構成してもよい。
【００１６】
以上の構成を有するジャンパー線接続装置の使用方法について説明する。図４（ａ）乃至（ｃ）は、ジャンパー線接続装置の使用方法について説明するための平面図である。
（１）最初にジャンパー線Ｗ１、Ｗ２と、圧縮スリーブＳをジャンパー線保持部材に固定する（図４（ａ））。
まず、クランプ２１を開放した状態で一方のジャンパー線Ｗ１を挟み、蝶ネジ２７を締めて、ジャンパー線Ｗ１にクランプ２１を固定する。圧縮スリーブＳの一方の端部開口Ｓａ内にジャンパー線Ｗ１の端部を挿入するとともに、他方の端部開口Ｓｂ内にジャンパー線Ｗ２の端部を挿入して、圧縮スリーブＳの内部で各ジャンパー線Ｗ１、Ｗ２の端部を突き合わせる。次に、クランプ３１を開放すると共に、ジャンパー線保持アーム３８のクランプ３１側をクランプ２１から離間させる方向に湾曲させた状態で、他方のジャンパー線Ｗ２を挟み、蝶ネジ３７を締めて固定する。ジャンパー線保持アーム３８の撓りにより、ジャンパー線Ｗ２の端部はジャンパー線Ｗ１の端部を押圧する。このとき、ジャンパー線保持アーム３８側からジャンパー線Ｗ２に加えられた付勢力は、ジャンパー線保持アーム２８との間で平均化されて、各ジャンパー線Ｗ１、Ｗ２の端部は、他方のジャンパー線の端部を同一の大きさを有する付勢力で押圧し合う。
【００１７】
（２）次に、圧縮スリーブＳを圧縮接続器１０の圧縮ダイス１１（図１参照）で挟み、第二の着脱部５６を連設片４０の中間部にセットする（図４（ｂ））。
まず、圧縮接続器１０の胴部１４に金属バンド５２を固定して、圧縮接続器１０とベースユニット５０と一体化する。次に、固定ダイス１２を圧縮接続器１０から取り出し、可動ダイス１３表面に圧縮スリーブＳを載置し、固定ダイス１２を圧縮接続器１０に再固定する。最後に、第二の着脱部５６を開放して連設片４０の中間部にセットし、第二の着脱部５６を閉止する。
【００１８】
（３）最後に、圧縮接続作業を行う（図４（ｃ））。
圧縮接続作業は、ジャンパー線Ｗ１、Ｗ２の端部が対向する圧縮スリーブＳの中間部から端部へと、順次圧縮接続器１０を移動させて行う。
具体的には、まず、ジャンパー線Ｗ１、Ｗ２の端部が対向する圧縮スリーブＳの中央部分を圧縮する。次に、既圧縮部位の所定長が圧縮ダイス１１に挟まれるように、圧縮接続器１０をジャンパー線Ｗ１の未圧縮部位上に移動させて圧縮する。このとき、目盛り４１にて移動させるべき距離を確認しながら、圧縮接続器１０を移動させる。続いて、圧縮接続器１０をジャンパー線Ｗ２の未圧縮部位上に移動させて、圧縮する。このとき、既圧縮部位の所定長が圧縮ダイス１１に挟まれるように、圧縮接続器１０の位置を決める。以上の作業を順次繰り返して、圧縮スリーブＳの全体を圧縮する。
【００１９】
本発明に係るジャンパー線接続装置１では、圧縮接続器１０が発生させる圧縮力Ｆ方向へジャンパー線Ｗが湾曲することを防止できる。以下、圧縮力Ｆ方向の湾曲を防止するメカニズムについて図５、図６に基づいて説明する。
圧縮接続による中心軸の位置変化について図５に基づいて説明する。図５は、圧縮ダイスと圧縮スリーブとの関係を示す模式図であり、（ａ）は圧縮前を示す図であり、（ｂ）は圧縮後を示す図である。
図示するように、固定ダイス１２と可動ダイス１３の間に配置された圧縮前のジャンパー線Ｗ及び圧縮スリーブＳの中心軸は（ａ）のＡ１の位置にある。ジャンパー線Ｓが圧縮されると、中心軸の位置が固定ダイス１２側に移動して、（ｂ）のＡ２の位置になる。
【００２０】
図６は、ジャンパー線接続装置の模式的正面図である。図中、点線は圧縮接続前の部材位置を示し、実線は圧縮接続後の部材位置を示している。
本実施形態におけるジャンパー線接続装置１では、圧縮スリーブＳ（不図示）から延出したジャンパー線Ｗを直接支持するジャンパー線保持アーム３８の軸方向が、圧縮力Ｆの方向に対して所定角度傾斜した状態にある。つまり、少なくとも圧縮力Ｆを、ジャンパー線保持アーム３８の軸方向に受けないようになっている。またジャンパー線保持アーム３８は、連設片４０部分を中心としてクランプ３１側が回動するように構成されているので、Ａ１からＡ２へと移動したジャンパー線Ｗの中心軸のずれが回転方向に変換されて、吸収される。従って、圧縮スリーブＳ部分のジャンパー線の中心軸と、圧縮スリーブＳから延出したジャンパー線の中心軸とがずれることなく圧縮接続できる。従って、ジャンパー線Ｗを圧縮力Ｆの方向に湾曲させることなく圧縮できる。
仮にジャンパー線保持アーム３８が、連設片４０に対して固定され、クランプ３１側が回動しない構成とした場合には、Ａ１からＡ２への中心軸のずれを、ジャンパー線保持アーム３８の撓りによって吸収することとなる。
【００２１】
以上のように本実施形態によれば、ジャンパー線保持アームが各ジャンパー線の端部を圧縮スリーブ内部に押圧する方向へ付勢するように構成したので、スリーブ内に挿入された二本のジャンパー線の夫々をスリーブ内に押圧する方向へ付勢しつつ支持する作業員が不要となり、作業人員の削減を図ることができる。また、ジャンパー線保持アームがジャンパー線と連設片との距離を一定に保持するので、ジャンパー線保持アームの軸方向におけるジャンパー線の湾曲を防止することができる。また、一旦ジャンパー線をクランプによって固定した後は、夫々のジャンパー線の端部を押圧する付勢力が一定に保たれるので、ジャンパー線が圧縮スリーブ内部で安定し、電線接続部の品質を向上できる。また、ジャンパー線保持アームの軸方向と圧縮接続器が発生させる圧縮力の方向とが異なるので、圧縮接続に伴う中心軸の位置ずれが、連設片を中心とした回転方向に変換されて伝達され、ジャンパー線圧縮に伴う圧縮力Ｆ方向のジャンパー線の湾曲を防止できる。
【符号の説明】
【００２２】
１…ジャンパー線接続装置、１０…圧縮接続器、１１…圧縮ダイス、１２…固定ダイス、１３…可動ダイス、１４…胴部、２０…ジャンパー線保持部材、２１…クランプ、２２、２３…分割片、２４…ヒンジ、２５、２６…屈曲片、２７…蝶ネジ、２８…ジャンパー線保持アーム、２８ａ…一端部、２８ｂ…他端部、３１…クランプ、３２、３３…分割片、３４…ヒンジ、３５、３６…屈曲片、３７…蝶ネジ、３８…ジャンパー線保持アーム、３８ａ…一端部、３８ｂ…他端部、４０…連設片、４１…目盛り、５０…ベースユニット、５１…第一の着脱部、５２…金属バンド、５３…折り曲げ部、５４…蝶ネジ、５５…ベースアーム、５５ａ…一端部、５５ｂ…他端部、５６…第二の着脱部、５７、５８…分割片、５９…ヒンジ、６０、６１…屈曲片、６２…蝶ネジ、７１…ゴムチューブ、７２、７３…コイルバネ、Ｗ１、Ｗ２…ジャンパー線
【図１】
2011086542.tif 000003
【図２】
2011086542.tif 000004
【図３】
2011086542.tif 000005
【図４】
2011086542.tif 000006
【図５】
2011086542.tif 000007
【図６】
2011086542.tif 000008
【図７】
2011086542.tif 000009